(57)【特許請求の範囲】
【請求項１】
可撓性を有する薬液容器上部の密閉蓋を貫通して給液管の一端を該容器内に挿入し、該給液管の他端はビューレット上端の開口部から差し込んで、該ビューレット内に支持具を介して下向きに開口させてなり、該支持具はビューレット内壁に固定または上下に摺動可能に構成されて、給液管の上記他端を該ビューレットの基準点位置に合せて支持固定するようにしたことを特徴とするビューレット。
【請求項２】
前記薬液容器が耐酸，耐アルカリ，耐薬品性に優れた合成樹脂製の可撓性であり、該容器を押圧することにより容器内圧を任意に調節可能に形成されてなる請求項１記載のビューレット。
【発明の詳細な説明】
【０００１】
【発明の属する技術分野】
本発明は、湿式化学分析における試薬滴定などを行なうビューレットに関するもので、詳しくはビューレットを用いた滴定後の試薬の補給を迅速かつ正確に行なうことができるビューレットに関するものである。
【０００２】
【従来の技術】
ビューレットは、任意の液体または気体を滴下，排出し易いように作られた化学用体積計の一種であり、図４に示すように太さが一様の長いガラス管に均等な目盛りを刻み、先端を細くし、その間に滴下量を調節するためのコック又はゴム管とガラス球を有するものが一般的である。
【０００３】
通常２５〜５０ｍｌで標線は全て外容積に０．１ｍｌに刻度され、主として容量分析の際に標準液またはまれに試料液を満たして滴定するのに用いられる。
【０００４】
目的用途に応じて材質，形状などにかなりの種類があるが、一般構造は硬質透明ガラス製の図４に示したようなものが標準であるが、硝酸銀標準液のように光分解しやすい場合には、着色ガラス製のビューレットが用いられる。
【０００５】
従来のビューレットは、図４に示すように、所定量の試薬をビューレットに満たした後、コックを開いて必要量の試薬を滴定するものである。滴定に要した試薬量は、ビューレットに刻まれた目盛を読んで計測する。
滴定を再度行なう際には、ビューレットの上端部より試薬を補給する必要があるが、この場合目盛上のゼロ点を調節するには、相当な熟練を必要とし、手間がかかっていた。
【０００６】
そのため、その対策として各種改良がなされ提案されているが、実開昭５１−１４８９９７号公報には、薬液の入った溶液を押圧してビューレット内に設けた孔から薬液をビューレット内に流入させ、余分な薬液は容器に戻るので、孔の位置をゼロ点に合わせておけば、自動的にゼロ点調節が可能となるビューレットが開示されている。
【０００７】
また、実開昭和５３−７１４９０号公報は、この押圧を２連球で行なう技術が記載されているが、これらはいずれの装置も構造が複雑で、製作が極めて面倒であり、その費用も高いという欠点あった。
【０００８】
【発明が解決しようとする課題】
本発明は、従来の既存のビューレットを使用でき、ゼロ点の調節および装置のセットが極めて簡単で試薬の補給を迅速かつ正確にできるビューレットを提案するものである。
【０００９】
【課題を解決するための手段】
本発明は、可撓性を有する薬液容器上部の密閉蓋を貫通して給液管の一端を該容器内に挿入し、該給液管の他端はビューレット上端の開口部から差し込んで、該ビューレット内に支持具を介して下向きに開口させてなり、該支持具はビューレット内壁に固定または上下に摺動可能に構成されて、給液管の上記他端を該ビューレットの所定位置に合せて支持固定するようにしてなるビューレットを提供するものである。
【００１０】
上記発明において、前記薬液容器は耐酸，耐アルカリ，耐薬品性に優れた合成樹脂製等の可撓性であり、該容器を押圧することにより容器内圧を任意に調節可能に形成されていることが好ましい。
【００１１】
また、前記支持具は、ビューレット内壁に固定または上下に摺動可能に形成され、給液管の先端を該ビューレットのゼロ点に合せて下向きに位置させて支持・固定することが好ましいのである。
【００１２】
【作用】
本発明に係るビューレットは上記のように構成され、薬液の入った薬液容器を手指で外から押圧することにより、内圧を高めて、容器内の薬液を給液管を介してビューレット内に供給するが、ゼロ点（基準点）以上になった任意の時点で供給を止めても、余分な薬液はサイホンの原理により、給液管を介して薬液容器内に逆流（戻る）するので、給液管の先端を所定の位置（ゼロ点：基準点）に合せておけば、滴定操作後に薬液を供給するに際して自動的にゼロ点が調節できるのである。以下、本発明の実施の形態を説明する。
【００１３】
【発明の実施の形態】
図１は、本発明に係る装置の一例を示す全体的説明図、図２は支持具の一例を示す説明的拡大側面図、図３は図２のＬ−Ｌ断面図、図４は従来のビューレットの側面図である。
【００１４】
図中符号１は従来から使用されている硬質ガラス製のコック付ビューレットであり、２は外容積に０．１ｍｌに刻度された目盛であり、３は滴定時に滴下量を調整するために使用するコックであり、４はビューレットの上端の開放された開口部、５は給液管６の先端部を支持固定する支持具であり、該支持具５により給液管６の先端をビューレット１のゼロ点１０に合せて支持固定する。該支持具５は耐酸，耐アルカリ，耐薬液製の硬質・透明な合成樹脂製であり、その略中心部に給液管６を支持し、図３に示すリング状外周部１１はビューレット１内壁に沿って上下に摺動可能に形成され、給液管６の先端をゼロ点の位置（図１中のＡ面）に合せて開口させて支持固定する。
【００１５】
７は容量分析に使用する薬液９を貯液する薬液容器であり、該容器７は耐酸，耐アルカリ，耐薬品性に優れた合成樹脂製の透明又は着色された可撓性であり（上記給液管６と同様な材質）、該容器７を外部から手指で押圧することにより容器７内圧を任意に調節できるように形成されている。
【００１６】
８は上記薬液容器７を密閉する密閉蓋で、上記給液管６が該密閉蓋８の略中央部を貫通して、該給液管６先端部が容器７内の薬液９中に浸漬されている。
【００１７】
すなわち、給液管６の一方端は密閉蓋８を貫通して薬液容器７内の薬液９内へ開口されており、他端は上記のようにビューレット１の上端開口部４からビューレット１内に差し込まれ、支持具５を介してゼロ点１０の上記Ａ面に開口されている。
【００１８】
しかして、ビューレット１下部のコック３を開いてビューレット１内の薬液を滴下させ滴定操作を行なう。終点に達した時点で、コック３を閉じて、目盛を読み、滴定作業に要した薬液９の量を計測する。
【００１９】
次に、薬液容器７を手指等で外部から押圧して、該容器７内の空気圧を上昇させると、薬液９内に浸された給液管６内を薬液９が上昇して、ビューレット１内に設置された他端から薬液９がビューレット１内に供給される。
【００２０】
薬液９の供給量を最初と同ゼロ点１０（Ａ面）に合せるには、薬液の液面がゼロ点１０を越えた時点で容器７の押圧を停止し、薬液９の供給を停止する。かくすることにより、余分な薬液９はサイフォンの原理によって給流管６内を逆流して薬液容器７内へ戻る。
【００２１】
液面がゼロ点１０になると、液面が給液管６の先端から離れるため、サイフォンの原理は応用されなくなり、薬液９の逆流は停止し、薬液９の表面はビューレット１内のゼロ点に合うことになる。このようにして、再び滴定操作を開始すればよい。
【００２２】
滴定操作終了後に薬液９を再度供給するには、上述の操作を行なえば、自動的にゼロ点１０が調節できるので、ゼロ点１０を合せるために従来のようにコック３を開いて調節する必要もない。
【００２３】
また、給液管６の先端は支持具５により自由にビューレット１内の位置を変更することができるので、必要に応じてゼロ点１０の位置を調節することも可能である。
【００２４】
【発明の効果】
本発明は上述のように構成され、既存のビューレットを使用することができ、滴定後再度薬液を補充する場合に、給液管の先端がビューレット内の基準点（ゼロ点）にセットされているので、薬液が基準点を越えて供給されても、サイフォンの原理によりオーバーした分は薬液容器に逆流して戻るので、自動的に基準点が定められる。
【００２５】
また、滴定後の薬液の補充を迅速かつ正確に行なうことができるので、分析操作も正確かつ迅速に、しかもそれ程の熟練を要することなく行なうことができるのである。
【図面の簡単な説明】
【図１】  本発明に係る装置の一実施例を示す全体説明図である。
【図２】  本発明に係る支持具の一例を示す説明的拡大側面図である。
【図３】  図２のＬ−Ｌ断面図である。
【図４】  従来のビューレットの側面図である。
【符号の説明】
１−ビューレット
２−目盛
３−コック
４−開口部
５−支持具
６−給液管
７−薬液容器
８−密閉蓋
９−薬液
１０−ゼロ点（基準点）
Ａ−基点面
【図１】
0004310483.tif 000002
【図２】
0004310483.tif 000003
【図３】
0004310483.tif 000004
【図４】
0004310483.tif 000005